(57)【要約】【課題】  メモリー性を有し、基板間が間隙部材によって複数のセルが仕切られた画像表示媒体の初期化を速やかに行うことができる画像表示装置を提供する。【解決手段】  画像表示媒体は、ライン状の複数のデータ電極３２が並置されて形成された表示基板と、データ電極３２と直交するライン状の複数の走査電極２６が並置されて配置された背面基板と、の間に黒色粒子及び白色粒子が封入された構成であり、基板間は間隙部材１８によりセル３６に仕切られている。駆動装置は、初期化を行う際、まず間隙部材１８に隣接する１，４，５，８行目の走査電極２６と、１，４，５，８列目のデータ電極３２との間に交番電圧を印加し、その後全走査電極２６と全データ電極３２との間に交番電圧を印加する。【選択図】        図２
2006235217.tif 000002
【特許請求の範囲】
【請求項１】
少なくとも一方が透光性を有する一対の基板と、予め定めた所定方向に沿って並置された複数の第１の電極と当該第１の電極と対向して配置された第２の電極との間に画像に応じた電圧が印加されることにより、前記一対の基板間に形成された電界に応じて移動するように当該基板間に封入された少なくとも一種類の粒子群と、前記一対の基板間を、前記第１の電極を複数含むセルに仕切る間隙部材と、を備えた画像表示媒体に画像を表示させる画像表示装置であって、
前記第１の電極と前記第２の電極との間に、前記画像表示媒体を初期化するための交番電圧を印加する電圧印加手段と、
前記粒子の配置が均一化されるように、前記間隙部材の近傍の予め定めた所定領域の前記第１の電極と前記第２の電極との間に印加する交番電圧と、前記所定領域以外の他の領域の前記第１の電極と前記第２の電極との間に印加する交番電圧とを異ならせるように前記電圧印加手段を制御する制御手段と、
を備えたことを特徴とする画像表示装置。
【請求項２】
前記制御手段は、前記所定領域の前記第１の電極と前記第２の電極との間に前記交番電圧が印加開始された後、前記他の領域の前記第１の電極と前記第２の電極との間に前記交番電圧が印加開始されるように、前記電圧印加手段を制御することを特徴とする請求項１記載の画像表示装置。
【請求項３】
前記制御手段は、前記所定領域の前記第１の電極と前記第２の電極との間に印加する前記交番電圧の電圧値が、前記他の領域の前記第１の電極と前記第２の電極との間に印加される前記交番電圧の電圧値よりも高くなるように、前記電圧印加手段を制御することを特徴とする請求項１又は請求項２記載の画像表示装置。
【請求項４】
前記制御手段は、前記所定領域の前記第１の電極と前記第２の電極との間に印加する前記交番電圧の周波数が、前記他の領域の前記第１の電極と前記第２の電極との間に印加される前記交番電圧の周波数よりも高くなるように、前記電圧印加手段を制御することを特徴とする請求項１乃至請求項３の何れか１項に記載の画像表示装置。
【請求項５】
前記複数の第１の電極は、ライン状の複数の走査電極が並置された走査電極群であり、前記第２の電極は、前記走査電極に交差するライン状の複数のデータ電極が並置されたデータ電極群であることを特徴とする請求項１乃至請求項４の何れか１項に記載の画像表示装置。
【請求項６】
前記粒子群は、色及び帯電特性が異なる複数種類の粒子群であることを特徴とする請求項１乃至請求項５の何れか１項に記載の画像表示装置。
【発明の詳細な説明】
【技術分野】
【０００１】
本発明は、画像表示装置に係り、より詳しくは、基板間に電圧を印加することにより着色粒子を移動させて画像表示する繰り返し書換えが可能な画像表示媒体に画像を表示する画像表示装置に関する。
【背景技術】
【０００２】
従来、メモリー性を有し繰り返し書き換えが可能な画像表示媒体として、着色粒子を用いた画像表示媒体が知られている（例えば特許文献１及び特許文献２参照）。このような画像表示媒体は、例えば一対の基板と、印加された電界により基板間を移動可能に基板間に封入されると共に、色及び帯電特性が異なる複数種類の粒子群と、を含んで構成される。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【０００４】
また、基板間には、粒子が基板内の一部の領域に偏るのを防ぐため等の理由により、基板間を複数のセルに仕切るための間隙部材が設けられる場合があるが、間隙部材の近傍の粒子は、間隙部材との衝突や摩擦、付着等によって、他の領域（間隙部材から離れた領域）の粒子よりも移動しづらいため、間隙部材の近傍に粒子が集合しやすい傾向にある。さらに、画像表示媒体を縦置きにした場合には、粒子が基板間を移動する際に重力の影響を受けるため、セル内の重力方向の下側に集合しやすくなる。
【０００５】
基板に付着した粒子は時間の経過と共に移動しづらくなり、表示画像を別の画像に切り替えた際に、移動すべき粒子が移動せずドット不良が生じる場合がある。このため、画像表示前に初期化駆動用電圧として交番電圧を基板全体に印加し、粒子が移動しやすい状態にしてから表示駆動用電圧を印加することを行う場合がある。
【特許文献１】特開２００１−３１２２２５号公報
【特許文献２】特開２００１−３３８３３号公報
【発明の開示】
【発明が解決しようとする課題】
【０００６】
しかしながら、交番電圧を基板全体に印加しても、粒子密度の高い間隙部材の近傍の粒子は、他の領域の粒子との衝突等によって他の領域への移動が妨げられ、セル内で粒子が均一になるまでに時間がかかる、という問題があった。
【０００７】
本発明は、上記事実に鑑みて成されたものであり、メモリー性を有し、基板間が間隙部材によって複数のセルが仕切られた画像表示媒体の初期化を速やかに行うことができる画像表示装置を提供することを目的とする。
【課題を解決するための手段】
【０００８】
上記目的を達成するために、請求項１記載の発明は、少なくとも一方が透光性を有する一対の基板と、予め定めた所定方向に沿って並置された複数の第１の電極と当該第１の電極と対向して配置された第２の電極との間に画像に応じた電圧が印加されることにより、前記一対の基板間に形成された電界に応じて移動するように当該基板間に封入された少なくとも一種類の粒子群と、前記一対の基板間を、前記第１の電極を複数含むセルに仕切る間隙部材と、を備えた画像表示媒体に画像を表示させる画像表示装置であって、前記第１の電極と前記第２の電極との間に、前記画像表示媒体を初期化するための交番電圧を印加する電圧印加手段と、前記粒子の配置が均一化されるように、前記間隙部材の近傍の予め定めた所定領域の前記第１の電極と前記第２の電極との間に印加する交番電圧と、前記所定領域以外の他の領域の前記第１の電極と前記第２の電極との間に印加する交番電圧とを異ならせるように前記電圧印加手段を制御する制御手段と、を備えたことを特徴とする。
【０００９】
この発明によれば、画像表示媒体は、少なくとも一方が透光性を有する一対の基板間に少なくとも一種類の粒子群が封入されると共に、一対の基板間が、予め定めた所定方向について第１の電極を複数含むセルに仕切られた構成である。粒子群は、一対の基板間に形成された電界に応じて基板間を移動可能に封入されている。
【００１０】
電界は、予め定めた所定方向に沿って並置された複数の第１の電極と当該第１の電極と対向して配置された第２の電極との間に画像に応じた電圧が印加されることにより形成される。
【００１１】
なお、請求項５に記載したように、前記複数の第１の電極は、ライン状の複数の走査電極が並置された走査電極群であり、前記第２の電極は、前記走査電極に交差するライン状の複数のデータ電極が並置されたデータ電極群である構成とすることができる。すなわち、単純マトリクス構造の電極配置である。
【００１２】
また、請求項６に記載したように、前記粒子群は、色及び帯電特性が異なる複数種類の粒子群とすることができる。この場合、色が異なる複数種類の粒子群のコントラストによって画像が表示される。なお、粒子群が１種類の場合には、例えば特開２００４−８６０９５号公報に記載された画像表示媒体を用いることができる。すなわち、背面基板の色と粒子群の色とが異なる構成とし、表示基板側に移動した粒子の色と、粒子を周辺に移動させることにより露出させた背面基板の色とのコントラストで画像を表示する画像表示媒体を用いることができる。背面基板の色を露出させる場合の電圧印加方法は、上記特開２００４−８６０９５号公報に記載された方法を用いることができる。
【００１３】
電圧印加手段は、画像表示媒体を初期化するための交番電圧、すなわち、粒子の配置を均一化させるための交番電圧を印加する。
【００１４】
前述したように、画像表示媒体を間隙部材により基板間を複数のセルに仕切る構成とした場合、画像表示を繰り返すうちに間隙部材の近傍に粒子が集合しやすく、全領域に同一の交番電圧を印加しても速やかに粒子の配置を均一化できない場合がある。
【００１５】
そこで、制御手段は、粒子の配置が均一化されるように、間隙部材の近傍の予め定めた所定領域の第１の電極と第２の電極との間に印加する交番電圧と、所定領域以外の他の領域の第１の電極と第２の電極との間に印加する交番電圧とを異ならせるように電圧印加手段を制御する。これにより、間隙部材の近傍の所定領域の粒子を速やかに他の領域へ移動させることができ、短時間で初期化するができる。
【００１６】
例えば、請求項２に記載したように、前記制御手段は、前記所定領域の前記第１の電極と前記第２の電極との間に前記交番電圧が印加開始された後、前記他の領域の前記第１の電極と前記第２の電極との間に前記交番電圧が印加開始されるように、前記電圧印加手段を制御することができる。
【００１７】
このように、他の領域に交番電圧を印加しない状態で先に間隙部材の近傍の所定領域に交番電圧を印加開始することにより、速やかに所定領域の粒子を他の領域へ移動させることができ、短時間で初期化することができる。
【００１８】
また、請求項３に記載したように、前記制御手段は、前記所定領域の前記第１の電極と前記第２の電極との間に印加する前記交番電圧の電圧値が、前記他の領域の前記第１の電極と前記第２の電極との間に印加される前記交番電圧の電圧値よりも高くなるように、前記電圧印加手段を制御するようにしてもよい。
【００１９】
これにより、間隙部材の近傍の所定領域の粒子が他の領域の粒子よりも活発に基板間を移動し、粒子の配置の均一化を短時間で行うことができる。
【００２０】
また、請求項４に記載したように、前記制御手段は、前記所定領域の前記第１の電極と前記第２の電極との間に印加する前記交番電圧の周波数が、前記他の領域の前記第１の電極と前記第２の電極との間に印加される前記交番電圧の周波数よりも高くなるように、前記電圧印加手段を制御するようにしてもよい。
【００２１】
これにより、間隙部材の近傍の所定領域の粒子が他の領域の粒子よりも活発に移動し、粒子の配置の均一化を短時間で行うことができる。
【発明の効果】
【００２２】
以上説明したように、本発明によれば、メモリー性を有し、基板間が間隙部材によって複数のセルが仕切られた画像表示媒体の初期化を速やかに行うことができる、という効果を有する。
【発明を実施するための最良の形態】
【００２３】
以下、図面を参照して本発明の実施の形態について詳細に説明する。
【００２４】
図１には、本実施形態に係る画像表示媒体１０の断面図を示した。画像表示媒体１０は、画像表示側である透光性を有する表示基板１２と、当該表示基板１２と所定間隔を隔てて対向する背面基板１４と、これらの基板間を所定間隔に保持するとともに、複数のセルに仕切る間隙部材１８と、各セル内に封入された帯電特性の異なる黒色粒子２０及び白色粒子２２と、で構成されている。
【００２５】
表示基板１２は、ガラス基板２４、複数のライン状の走査電極２６、及び絶縁層２８が積層された構成となっている。同様に、背面基板１４は、ガラス基板３０、複数のライン状のデータ電極３２、及び絶縁層３４が積層された構成となっている。各電極は、例えばＩＴＯ（Ｉｎｄｉｕｍ  Ｔｉｎ  Ｏｘｉｄｅ）電極で構成される。
【００２６】
図２に示すように、複数のライン状の走査電極２６は、図２において上下方向（走査方向Ｓ）に並置されると共に、図２において左右方向に並置された複数のライン状のデータ電極３２と直交するように対峙して配置される。各走査電極２６と各データ電極３２との交差位置が画素を構成する。
【００２７】
間隙部材１８は、複数の走査電極２６及びデータ電極３２を含むセル３６が複数個形成されるようマス目状の形状とされている。図２では、一例として各セル３６内に走査電極２６及びデータ電極３２が４本ずつ配置された構成、すなわち１セル当たり４×４画素の構成としている。
【００２８】
各セル３６内には、帯電特性の異なる粒子群であって、正に帯電した黒色粒子２０と負に帯電した白色粒子２２とが封入されている。このように基板間が間隙部材１８によって仕切られ、各セル３６内に粒子が封入されることにより、粒子の移動が各セル内に制限され、粒子が偏るのを防ぐことができる。なお、黒色粒子２０が負に帯電し、白色粒子２２が正に帯電された構成でもよい。各粒子は、例えば絶縁性粒子や導電性粒子等を用いることができる。
【００２９】
図１、２においては、説明の簡略化のために８行×８列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｎ本の走査電極２６がガラス基板２４上に形成され、ｍ本のデータ電極３２がガラス基板３０上に形成される。
【００３０】
また、本実施の形態では、表示基板側に走査電極２６が、背面基板側にデータ電極３２が設けられた構成としているが、これとは逆に、表示基板側にデータ電極３２が、背面基板側に走査電極２６が形成された構成としてもよい。
【００３１】
また、走査電極２６及びデータ電極３２は、表示基板１２と背面基板１４とが対向する側の面ではなく、これと反対側の面にぞれぞれ形成されていてもよく、表示基板１２及び背面基板１４の外側に別個独立にそれぞれ配置されていてもよい。電極を画像表示媒体と別個独立に設ける場合には、基板を誘電性を有する部材で構成することにより、基板間に電界を形成させることができる。
【００３２】
なお、画像表示媒体１０を構成する各部材は、例えば特開２００１−３１２２５号公報に記載されたものを用いることができる。
【００３３】
このような画像表示媒体１０では、少なくとも粒子を移動させることができる電位差を基板間に発生させるのに必要な電圧であって、必要な濃度が確保できる所定電圧（例えば±１４０Ｖ）が走査電極２６とデータ電極３２との電極間に印加されると、その位置の黒色粒子２０及び白色粒子２２が基板間を移動する。例えば、データ電極３２に対して走査電極２６の電位が正となる所定電圧（例えば＋１４０Ｖ）がその電極間に印加された場合には、表示基板１２側の正に帯電した黒色粒子２０は背面基板１４側へ移動し、背面基板１４側の負に帯電した白色粒子２２は表示基板１２側へ移動する。一方、データ電極３２に対して走査電極２６の電位が負となる所定電圧（例えば−１４０Ｖ）がその電極間に印加された場合には、表示基板１２側の負に帯電した白色粒子２２は背面基板１４側へ移動し、背面基板１４側の正に帯電した黒色粒子２０は表示基板１２側へ移動する。
【００３４】
従って、粒子を移動させるべき画素に対応した位置のデータ電極３２と走査電極２６との間に正又は負の所定電圧を印加することにより、画像に応じて粒子が移動し、画像を表示させることができる。なお、電圧の印加が停止された後も、ファンデルワース力や鏡像力等により黒色粒子２０又は白色粒子２２は表示基板１２又は背面基板１４に付着したままとなり、画像表示は維持される。
【００３５】
本実施形態では、一例として、画像表示媒体１０の濃度特性が図３（Ａ）、（Ｂ）に示すような特性の場合について説明する。すなわち、データ電極３２に対して走査電極２６に印加される電圧を−１４０Ｖ又は１４０Ｖとすることにより、黒色粒子２０又は白色粒子２２が表示基板１２側へ移動して十分な濃度を得ることができると共に、データ電極３２に対して走査電極２６に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００３６】
走査電極２６及びデータ電極３２に印加するＯＮ電圧及びＯＦＦ電圧の値の設定については様々な値を設定することができるが、本実施形態では、図４（Ａ）に示すように、走査電極２６に印加する走査電極用ＯＮ電圧を０Ｖに、走査電極用ＯＦＦ電圧を７０Ｖに、データ電極３２に印加するデータ電極用ＯＮ電圧を走査電極用ＯＮ電圧の２倍の１４０Ｖに、データ電極用ＯＦＦ電圧を０Ｖにそれぞれ設定する。なお、各電圧のパルス幅は一例として１０ｍｓｅｃ、パルス数は１とする。
【００３７】
このようにＯＮ電圧及びＯＦＦ電圧を設定した場合、同図（Ｂ）に示すように、走査電極２６及びデータ電極３２の両方にＯＮ電圧が印加された場合、そのデータ電極３２に対する走査電極２６への印加電圧は−１４０Ｖとなり、その画素（画像部）の黒色粒子２０が表示基板１２側へ移動する。
【００３８】
また、走査電極２６に走査電極用ＯＮ電圧、データ電極３２にデータ電極用ＯＦＦ電圧が印加された場合、そのデータ電極３２に対する走査電極２６への印加電圧は０Ｖとなり、その画素（非画像部）の粒子は移動しない。同様に、走査電極２６に走査電極用ＯＦＦ電圧、データ電極３２にデータ電極用ＯＮ電圧が印加された場合、そのデータ電極３２に対する走査電極２６への印加電圧は−７０Ｖとなり、その画素の粒子は移動せず、走査電極２６に走査電極用ＯＦＦ電圧、データ電極３２にデータ電極用ＯＦＦ電圧が印加された場合、そのデータ電極３２に対する走査電極２６への印加電圧は７０Ｖとなり、その画素の粒子は移動しない。
【００３９】
また、セル３６内の粒子の配置、すなわち粒子密度を均一化させると共に最終的に白表示とする初期化駆動を行う場合には、走査電極２６とデータ電極３２との間に初期化駆動電圧として交番電圧を印加する。例えば、第１の走査電極用初期化電圧を１４０Ｖ、第２の走査電極用初期化電圧を０Ｖとして、これらを所定パルス幅で走査電極２６に交互に印加すると共に、これに同期して、第１のデータ電極用初期化電圧を０Ｖ、第２のデータ電極用初期化電圧を１４０Ｖとして、これらを前記所定パルス幅でデータ電極３２に交互に印加する。これにより、走査電極２６とデータ電極３２との間に交番電圧が印加される。なお、交番電圧の電圧値は一例であり、これに限られるものではない。
【００４０】
従来における通常の初期化駆動では、これを所定パルス数分実行し、最後に白表示とするために、走査電極２６に第１の走査電極用初期化電圧を、データ電極３２に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。本実施形態では、詳細は後述するが、初期化駆動を２段階で行う。
【００４１】
図５には、画像データに基づいて、画像表示媒体１０に画像を表示するための駆動装置４０の概略構成を示した。
【００４２】
駆動装置４０は、走査電極駆動回路４２、データ電極駆動回路４４、電源回路４６、４８、及び制御装置５０を含んで構成されている。
【００４３】
走査電極駆動回路４２は、各走査電極２６とそれぞれ接続され、電源回路４６から供給される各種の電圧、すなわち走査電極用初期化電圧、走査電極用ＯＮ電圧、走査電極用ＯＦＦ電圧を、制御装置５０の指示に従って各走査電極２６に各々印加する。
【００４４】
データ電極駆動回路４４は、各データ電極３２とそれぞれ接続され、電源回路４８から供給される各種の電圧、すなわちデータ電極用初期化電圧、データ電極用ＯＮ電圧、データ電極用ＯＦＦ電圧を、制御装置５０の指示に従って各データ電極３２に各々印加する。
【００４５】
制御装置５０には、画像表示媒体１０に表示させるべき画像に応じた画像データが入力される。制御装置５０は、入力された画像データに基づいて、走査対象すなわち粒子駆動対象の走査電極２６を指定するための走査電極指定信号を、走査電極駆動回路４２に出力する。また、これと同時に、その走査電極指定信号により指定された走査電極２６に対応するライン画像の画像部のデータ電極３２を指定するためのデータ電極指定信号を、データ電極駆動回路４４に出力する。
【００４６】
走査電極駆動回路４２は、制御装置５０から走査電極指定信号によって指定された走査電極２６に対して走査電極用ＯＮ電圧を印加すると共に、走査電極指定信号によって指定された走査電極２６以外の走査電極２６に対して走査電極用ＯＦＦ電圧を印加し、データ電極駆動回路４４は、制御装置５０からデータ電極指定信号によって指定されたデータ電極３２に対してデータ電極用ＯＮ電圧を印加すると共に、データ電極指定信号によって指定されたデータ電極３２以外のデータ電極３２に対してデータ電極用ＯＦＦ電圧を印加する。
【００４７】
これにより、制御装置５０により指定された走査電極２６とデータ電極３２との交差位置の粒子、すなわち画像部の粒子が基板間を移動し、黒色粒子２０が表示基板１２側へ白色粒子２２が背面基板１４側へ移動する。また、非画像部の粒子は基板間を移動しない。これを各ライン、すなわち各走査電極２６について実行することにより、画像を表示することができる。
【００４８】
次に、制御装置５０で実行される処理、すなわち電圧印加シーケンスについて説明する。なお、以下では、図２に示すように、走査電極２６及びデータ電極３２を各８本ずつ備えた画像表示媒体１０、すなわち８×８個の画素（２×２個のセル３６）を有する画像表示媒体１０を初期化駆動及び表示駆動する場合について説明する。
【００４９】
まず、制御装置５０は、画像表示媒体１０を初期化駆動する。この初期化駆動は、本実施形態では２段階に分けて行う。
【００５０】
画像表示媒体１０を平置きにした場合（粒子が重力の影響を受けない方向に配置した場合）、間隙部材１８に隣接する１，４，５，８行目の走査電極２６上の画素、１，４，５，８列目のデータ電極３２上の画素に粒子が集合しやすく、粒子密度が高くなる。
【００５１】
また、画像表示媒体１０を縦置きにした場合（粒子が重力の影響を受ける方向に配置した場合）、走査方向Ｓ即ち重力方向に影響を受けるため、特に間隙部材１８に隣接する４，８行目の走査電極２６上の画素、１，４，５，８列目のデータ電極３２上の画素であってセル３６内における走査方向Ｓの下流側に粒子が集合しやすく、粒子密度が高くなる。
【００５２】
このため、間隙部材１８近傍の画素においては、間隙部材１８との付着等により、画像を切り替える際に粒子が十分に移動せずドット不良が発生しやすい。
【００５３】
そこで、制御装置５０は、まず間隙部材１８に隣接する１，４，５，８行目の走査電極２６と、１，４，５，８列目のデータ電極３２との間に、同時に第１のパルス数（例えば１パルス〜数パルス）の交番電圧が印加されるよう走査電極駆動回路４２及びデータ電極駆動回路４４に指示する。走査電極駆動回路４２は、第１の走査電極用初期化電圧、第２の走査電極用初期化電圧を指定された走査電極２６に交互に印加すると共に、これに同期して、データ電極駆動回路４４は、第１のデータ電極用初期化電圧、第２のデータ電極用初期化電圧を指定されたデータ電極３２に交互に印加する。
【００５４】
これにより、間隙部材１８近傍の粒子が基板間を移動する。このとき、セル３６の中央部には交番電圧が印加されず粒子は基板間を移動しないため、間隙部材１８近傍の粒子が速やかにセル３６の中央部に移動することができる。
【００５５】
その後、制御装置５０は、１〜８行目の走査電極２６と１〜８列目のデータ電極３２との間、すなわち全電極間に、同時に第２のパルス数（例えば１０パルス）の交番電圧が印加されるよう走査電極駆動回路４２及びデータ電極駆動回路４４に指示する。走査電極駆動回路４２は、第１の走査電極用初期化電圧、第２の走査電極用初期化電圧を全走査電極２６に交互に印加すると共に、これに同期して、データ電極駆動回路４４は、第１のデータ電極用初期化電圧、第２のデータ電極用初期化電圧を全データ電極３２に交互に印加する。また、走査電極駆動回路４２及びデータ電極駆動回路４４は、最後に白表示とするために、前記所定パルス幅より長めのパルス幅で全走査電極２６に第１の走査電極用初期化電圧を、全データ電極３２に第１のデータ電極用初期化電圧をそれぞれ印加する。これにより、全面白表示とすることができる。
【００５６】
このように、間隙部材１８近傍の領域とそれ以外の他の領域とで交番電圧の印加タイミングをずらし、先に間隙部材１８近傍の領域に交番電圧を印加した後に前記他の領域についても交番電圧を印加するが、全領域に交番電圧を印加するときには、すでに間隙部材１８近傍の粒子密度は低くなっているため、従来と比較して少ないパルス数の交番電圧を印加するだけで速やかに粒子の配置を均一化することができる。
【００５７】
なお、従来は同様の構成でセル内の粒子配置を均一化するために、数十パルス〜数百パルスの交番電圧を印加する必要があった。
【００５８】
次に、制御装置５０は、１行目の走査電極２６に走査電極用ＯＮ電圧を印加するよう走査電極指定信号を走査電極駆動回路４２に出力すると共に、１行目のライン画像に対応したライン画像データに基づいて、画像部すなわち黒色粒子２０を表示基板１２側に移動させるべき画素のデータ電極３２にデータ電極用ＯＮ電圧を印加するようデータ電極指定信号をデータ電極駆動回路４４に出力する。
【００５９】
これにより、走査電極駆動回路４２は、１行目の走査電極２６に走査電極用ＯＮ電圧を印加すると共に他の走査電極２６に走査電極用ＯＦＦ電圧を印加し、データ電極駆動回路４４は、画像部のデータ電極３２にデータ電極用ＯＮ電圧を印加すると共に、非画像部のデータ電極３２にデータ電極用ＯＦＦ電圧を印加する。
【００６０】
このため、１行目の画像部の黒色粒子２０が表示基板１２側へ移動すると共に白色粒子２２が背面基板１４側へ移動する。非画像部については、走査電極２６及びデータ電極３２の少なくとも一方にＯＦＦ電圧が印加されるため、粒子は移動しない。
【００６１】
同様の処理を２行目の走査電極２６から８行目の走査電極２６まで順次実行することにより、１〜８行目まで順次ライン画像が表示され、画像が表示される。
【００６２】
なお、本実施形態では、間隙部材１８の近傍の電極間に交番電圧を印加してから全電極間に交番電圧を印加することにより画像表示媒体１０を初期化する場合について説明したが、間隙部材１８の近傍の電極間に印加する交番電圧の電圧値を、他の部分（セル３６の中央部分）の電極間に印加する交番電圧よりも高い電圧値とし、全電極間にこれらの交番電圧を同時に印加するようにしてもよい。この場合、間隙部材１８の近傍の粒子は他の部分の粒子よりも活発に基板間を移動するため、上記と同様に短時間で粒子の配置を均一化させることができる。
【００６３】
また、間隙部材１８の近傍の電極間に印加する交番電圧の周波数を、他の部分の電極間に印加する交番電圧よりも高い周波数とし、全電極間にこれらの交番電圧を同時に印加するようにしてもよい。この場合も、間隙部材１８の近傍の粒子は他の部分の粒子よりも活発に基板間を移動するため、上記と同様に短時間で粒子の配置を均一化させることができる。
【００６４】
さらに、これらを組み合わせてもよい。例えば、まず間隙部材１８の近傍の電極間に交番電圧を印加し、その後、間隙部材１８の近傍の電極間には他の部分の電極間に印加する交番電圧よりも高い交番電圧を、他の部分の電極間には間隙部材１８の近傍の電極間に印加する交番電圧よりも低い交番電圧を同時に印加するようにしてもよい。これにより、より短時間で粒子の配置を均一化させることができる。
【００６５】
また、本実施形態では、セル３６が４×４画素の構成の場合について説明したが、これに限らず、さらに多くの画素又は少ない画素を含む構成の画像表示媒体１０にも本発明を適用可能である。
【００６６】
また、本実施形態では、間隙部材１８に隣接する１画素分の領域について最初に初期化し、その後全体を初期化する場合について説明したが、これに限らず、間隙部材１８に隣接する複数画素分の領域について最初に初期化し、その後全体を初期化するようにしてもよい。
【００６７】
また、本実施形態では、電極の配置が単純マトリクス構造の画像表示媒体に画像を表示させる場合について説明したが、例えば電極の配置がアクティブマトリクス構造の画像表示媒体であっても、セルが複数の電極を含む構成であれば、本発明を適用可能である。
【図面の簡単な説明】
【００６８】
【図１】画像表示媒体の断面図である。
【図２】電極の配置及び間隙部材の形状を示す平面図である。
【図３】（Ａ）は白表示から黒表示するときの濃度特性を示す線図、（Ｂ）は黒表示か
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】画像表示装置の概略構成図である。
【符号の説明】
【００６９】
１０      画像表示媒体
１２      表示基板
１４      背面基板
１８      間隙部材
２０      黒色粒子
２２      白色粒子
２４、３０      ガラス基板
２６      データ電極
２８、３４      絶縁層
３２      走査電極
３６      セル
４０      駆動装置
４２      走査電極駆動回路（電圧印加手段）
４４      データ電極駆動回路（電圧印加手段）
４６、４８      電源回路
５０      制御装置（制御手段）
【図１】
2006235217.tif 000003
【図２】
2006235217.tif 000004
【図３】
2006235217.tif 000005
【図４】
2006235217.tif 000006
【図５】
2006235217.tif 000007